(57)【特許請求の範囲】
【請求項１】
温度により色が可変する熱変色層を一方の面に設けた高分子樹脂フィルム若しくは紙からなる基材を含み、
前記熱変色層及び前記基材の他方の面が、少なくとも部分的に露出するように用紙の層中に漉き入れたことを特徴とする偽造防止策を施した用紙。
【請求項２】
前記熱変色層の温度変化による色変化を用紙の表裏から目視可能としたことを特徴とする請求項１記載の偽造防止策を施した用紙。
【請求項３】
前記基材は透明な高分子樹脂フィルムからなることを特徴とする請求項１記載の偽造防止策を施した用紙。
【請求項４】
前記熱変色層が温度変化により無色から有色、または有色から無色に色が可変することを特徴とする請求項１乃至３の何れか一項記載の偽造防止策を施した用紙。
【請求項５】
請求項１乃至４の何れか一項の偽造防止策を施した用紙に、有価証券類の印刷を施したことを特徴とする偽造防止策を施した用紙を用いた印刷物。
【発明の詳細な説明】
【０００１】
【発明の属する技術分野】
本発明は、紙幣、株券、債券、商品券、宝くじ等の紙からなる有価証券類の偽造防止に関するもので、さらに詳しくは、電子複写機による偽造や改竄行為が極めて困難である偽造防止策を施した用紙及びこの用紙を用いた印刷物に関するものである。
【０００２】
【従来の技術】
現在、紙は紙幣をはじめ、株券、債券、商品券、宝くじなど、金銭的価値を有する有価証券として幅広く使用されている。それら有価証券用紙は容易に偽造又は変造出来ない様に、紙自身に透かしを施したり、あるいはマイクロ文字や凹版印刷、隠し文字、蛍光印刷等の特殊な印刷を施したり、金属光沢を有する箔やホログラム箔などを転写またはシールで施してあるのが一般的である。
【０００３】
これらの有価証券類が偽造される場合は、主に印刷による方法と電子複写機による方法があるが、今日では電子複写機の解像度が格段に良くなり、電子複写機さえあれば簡単に本物と見分けがつかないくらい正確に複写出来ることから、電子複写機による偽造が増加している。この場合には、マイクロ文字や隠し文字といったパターン印刷法では、オリジナルとコピーを見分けることが困難になっている。
【０００４】
さらに、電子複写機や通常の印刷による偽造に対しては、紙自身の偽造防止策として黒透かしや白透かしといった透かし技術が、真偽判定が簡単で偽造防止効果が高いとして多くの有価証券類において現在でも使用されている。しかし、精巧な印刷技術による偽造品に対し、黒透かしや白透かしでは環境条件によっては真偽判定が正確に行えないことがあり、偽造された有価証券が使用されてしまうという問題点があった。
【０００５】
【発明が解決しようとする課題】
そこで本発明は、以上のような問題点に着目してなされたものであり、その課題とするところは、真偽判定が簡単・確実にでき、かつ印刷技術や電子複写機による偽造ができないようにすることにある。
【０００６】
【課題を解決するための手段】
本発明において上記課題を達成するために、まず請求項１においては、温度により色が可変する熱変色層を一方の面に設けた高分子樹脂フィルム若しくは紙からなる基材を含み、前記熱変色層及び前記基材の他方の面が、少なくとも部分的に露出するように用紙の層中に漉き入れし、熱変色層面及び基材の他方の面を露出させたことにより、温度変化で色が可変して簡単に真偽判定ができ、かつ偽造が極めて困難なことを特徴とする偽造防止策を施した用紙としたもので、本発明の基本的な構成である。
【０００７】
また、請求項２においては、前記熱変色層の温度変化による色変化を用紙の表裏から目視可能とし、用紙の表裏にかかわらず温度変化により熱変色層の色変化が確認でき、真偽判定を容易にしており、本発明の応用的な構成である。
また、請求項３においては、前記基材は透明な高分子樹脂フィルムからなることにより、用紙の用紙の表裏から露出部分を目視した場合、熱変色層が無色のときに「透明透かし」が現出し、真偽判定を容易にするだけではなく、偽造防止効果も高い用紙となり、本発明の理想的な構成である。
【０００８】
また、請求項４においては、熱変色層に有色から無色、または無色から有色に変化する材料を用いることにより、色変化による真偽判定を更に容易にしたもので、本発明の応用的な構成である。
【００１０】
請求項５においては、請求項１乃至４の何れか一項の偽造防止策を施した用紙を用いて、有価証券類の印刷物としたものである。
【００１１】
【発明の実施の形態】
本発明は、温度により変色する熱変色層を積層した基材を紙層中に漉き入れし、熱変色層、または熱変色層と基材の両面を、露出させたことにより、温度変化で色が可変して簡単に真偽判定ができ、かつ偽造が極めて困難なことを特徴とする偽造防止策を施した用紙としたものである。
【００１２】
以下、実施の形態に基づき本発明を詳細に説明する。
本発明に用いる用紙は、植物繊維または合成繊維を原料とし、水中にて叩解し漉いて絡ませた後、脱水・乾燥させて作られる。この時、紙は原料であるセルロースの水酸基間の水素結合により繊維間強度が得られる。また、紙に用いるてん料としてはクレイ、タルク、炭酸カルシウム、二酸化チタン等があり、サイズ剤としてはロジン、アルキル・ケテン・ダイマー、無水ステアリン酸、アルケニル無水こはく酸、ワックス等があり、紙力増強剤には変性デンプン、ポリビニルアルコール、ポリアクリルアミド、尿素−ホルムアルデヒド、メラミン−ホルムアルデヒド、ポリエチレンイミン等があり、これらの材料をそれぞれ抄紙時に加え、主として長網抄紙機で抄造する。
【００１３】
抄紙方法は、通常の植物繊維紙の製造に用いられる方法でよく、原料濃度０．５〜１０％好ましくは１〜２％の水希薄原料で十分に膨潤させた繊維をよく混練し、スダレ・網目状のワイヤー等に流して並べ搾水後、加温により水分を蒸発させて作られる
【００１４】
また、植物繊維以外の例えば合成繊維を混入した紙の場合は、合成繊維間に水素結合などの結合力を持たないため結着剤を必要とすることが多いので、合成繊維比率と結着剤量は、紙の強度を落とさない程度に適宜決めるのが望ましい。
【００１５】
熱変色層は、電子供与性化合物と電子受容性化合物と、両者の呈色反応を可逆的に生起させる有機化合物媒体とからなり、熱変色材料を無色のポリビニルアルコール（以下、ＰＶＡと称す）系水溶性バインダーに添加してインキ化したもの（以下、示温インキと称す）を、５〜５００μｍ、好ましくは１５〜２０μｍのポリエチレンテレフタレート、ポリプロピレンなどの高分子樹脂フィルム基材の少なくとも片面に塗布して作られる。
【００１６】
また、請求項５における無色から有色、または有色から無色に変化する熱変色層の色濃度については、発色状態における色濃度の明度値が６以下で、消色状態における明度値が８以上であることが望ましい。
【００１７】
前記の混合抄紙法や場合によっては抄き合わせ法などにより抄紙される熱変色層を有する基材は、熱変色層、または熱変色層及び基材の両面が露出（部分的または全面でもよい）するように用紙の層中に漉き込まれ、特に請求項３の構成の場合には、熱変色層が温度により無色に変化した際に、透明な樹脂フィルム基材面からも目視することができ、所謂、透明透かしが現出する。
【００１８】
本発明の偽造防止策が施された用紙への印刷・加工は、従来の紙の場合と同じ設備、方法が使用可能である。すなわち、オフセット印刷法、スクリーン印刷法、グラビア印刷法等の印刷法で文字や絵柄を印刷した後、断裁機を用いて小切れ化するなどである。
【００１９】
本発明の偽造防止策が施された用紙は、温度変化によって、基材に積層された熱変色層の色が変化することにより、特別な器具を用いなくとも目視により確実に真偽判定ができると同時に、熱変色層を有する基材が用紙の層中に漉き込まれているため偽造も困難である。
【００２０】
図に基づきさらに詳細に説明すると、図１は、用紙１の一部領域に熱変色層３を積層した基材２を漉き込み、熱変色層３を目視できる部分を露出部５とした偽造防止策を施した用紙１０に、文字や絵柄等の印刷層４を設けたもので、本発明の参考としての構造を示すものである。
【００２１】
また、図２及び図３は、透明な樹脂フィルムからなる基材７上に、熱変色層８を積層して、この熱変色層８と基材７の両面が露出するように用紙６の層中に漉き込んだ構造の偽造防止策を施した用紙１０ａであり、平面図及びＡ−Ａ断面図として説明したものである
【００２２】
上記熱変色層を施す基材７は、透明性に優れ、機械的に強く、柔軟性や可とう性を有するポリエチレンテレフタレート、ポリ塩化ビニル、ポリアクリレート等の高分子樹脂フィルムが必要に応じて用いられる。フィルムは一般的に１５〜５００μｍであるが、この場合あまり厚いと印刷等を施す用紙としては意匠性を損なう他に、抄紙も難しくなることから、厚さとしては１５〜２５μｍのものが好ましい。
【００２３】
また、用紙１，６上の印刷層４は、通常の印刷であるオフセット印刷法、スクリーン印刷法、凸版印刷法、凹版印刷法などによる文字や絵柄の他、金属箔やホログラムを用いても良い。
【００２４】
熱変色層３，８は、グラビアインキ、オフセットインキ、スクリーンインキなど、目的の印刷用の水溶性インキに熱変色材料を混合して示温インキとし、それを直接印刷、またはコーティングした形で基材７上に設ける。
【００２５】
なお、図１に示す熱変色層３の場合は、温度変化によって有色から有色へ、例えば赤色から緑色などへと変色する材料を用いて、真偽判定を容易にする。
【００２６】
また、図３の熱変色層８では、熱変色層を有する基材７に透明な高分子樹脂フィルムを用いるだけでなく、温度変化によって有色から無色もしくは無色から有色へと変色する材料を使用することにより、例えば露出部９が透明となり、真偽判定を更に容易にするとともに、電子複写機による偽造や改竄を困難にする。
【００２７】
一方、用紙１，６の原料となるパルプ繊維としては、針葉樹や広葉樹、イネ、エスパルト、バガス、麻、亜麻、ケナフ、カンナビス等の木材パルプと、ポリエチレンテレフタレート、ポリプロピレン、ポリアクリレート、ポリ塩化ビニル等のプラスチックから作られた合成繊維などを、通常の植物繊維紙の製造に用いられる方法で、原料濃度０．５〜１０％好ましくは１〜２％の水希薄原料で十分に膨潤させた繊維をよく混練しスダレ・網目状のワイヤーパート上に流して並べ、搾水後加温により水分を蒸発させて作られる。この際、前記の熱変色層を積層した熱変色層基材の漉き込みには、針金あるいは薄板（金属その他）を切り抜いて作った型をワイヤーパート上に固定したものを漉き網として使い、この部分に熱変色層を積層した基材をあて、露出部分以外が隠れるように紙を漉く、漉き込みが可能である。
【００２８】
【実施例】
以下、本発明の具体的な実施例を挙げ、詳細に説明する。
【００２９】
＜参考例１＞
参考例１として図１の構成のものを以下に説明する。厚さ１５μｍのポリエチレンテレフタレートフィルムからなる基材２上に、発色時の明度値が４．５、消色時の明度が６．０である、２−アニリノ−３−メチル−６−ジブチルアミノフルオラン６部、ビスフェノールＡ１０部、ステアリン酸ネオペンチル２５部の相容体からなる消色時に無色とならない熱変色性組成物を、エポキシ／アミン系硬化材の界面重合法によって得られた平均粒子径８μｍのマイクロカプセル形態の熱変色材料とアクリル酸エステル樹脂とからなる、１５℃以下で赤色で、３０℃以上で黄色に、可逆的に変色する熱変色層３を積層した。しかる後、針葉樹パルプを水中で叩解後、手漉き装置を用いて任意の形状に熱変色層３が露出（露出部５）するように熱変色層を積層した基材２を用紙１の層中に漉き込んで脱水した後、乾燥させ、偽造防止策を施した用紙１０（１３０ｇ／ｍ2 ）を作製し、絵柄・文字の印刷層４を凹版印刷法で印刷した。
【００３０】
＜実施例１＞
実施例１として、図２の構成のものを以下に説明する。
厚さ１５μｍのポリエチレンテレフタレートフィルムからなる基材７上に、３−（４−ジエチルアミノ−２−エトキシフェニル）−３−（１−エチル−２−メチルインドール−３−イル）−４−アザフタリド１．５部、ビスフェノールＡ６部、ステアリン酸ネオペンチル５０部の相溶体からなる熱変色性組成物を、エポキシ樹脂／アミン系硬化剤の界面重合法によるマイクロカプセル化で得られた平均粒子径８μｍのマイクロカプセル形態の熱変色材料とアクリル酸エステル樹脂とからなる、１５℃以下では青色で、３０℃以上で無色に、可逆的に変色する熱変色層８を積層した。しかる後、針葉樹パルプを水中で叩解後、手漉き装置を用いて任意の形状に基材７及び熱変色層８の両面が露出（露出部９）するように、熱変色層を積層した基材７を用紙６の層中に漉き込んで脱水、乾燥させ、偽造防止策を施した用紙１０ａ（１２０ｇ／ｍ2 ）を作製し、絵柄・文字の印刷層４を凹版印刷法で印刷した。
【００３１】
＜比較例１＞
比較例１として、図４に基づく構成により説明する。
一般的な白透かし１１を有する有価証券用紙２０を使用し、表面に絵柄・文字の印刷層４を凹版印刷法により印刷した。
【００３２】
本発明における実施例１、参考例１と比較例１を偽造防止効果や真偽判定などの面から比較した結果を、以下の表１に示す。
【００３３】
【表１】
0004168458.tif 000002
【００３４】
表１の比較結果から、比較例１で電子複写で「可」、偽造の難易度「易」となっているのは、電子複写や印刷での偽造品が見た目には「透かし」に近い色合いを再現することがあるため、目視による真偽判定では不確実なものとなり、実際に偽造品が使用されてしまうことがあるので、「透かし」用紙自身の偽造は困難でも、有価証券類としてはそれぞれ「可」や「易」となる。
【００３５】
これに対して、本発明の偽造防止策を施した用紙である実施例１、参考例１は、漉き込まれた基材上に熱変色層を積層し、露出させた熱変色層が加わる温度により変色することから、真偽判定が容易に、かつ確実に行うことが可能で、しかも偽造防止効果などの問題点を全て解決した。
【００３６】
【発明の効果】
本発明の偽造防止策を施した用紙は、紙または透明な樹脂フィルムからなる基材に、熱変色層を設け、この熱変色層を有する基材を用紙の層中に漉き入れしたもので、この熱変色層が温度変化で無色になると、所謂、透明透かしが現出する。従って、偽造を困難にした。また今までのホログラム箔貼付や凹版印刷などの後工程での偽造防止策と比較して偽造や入手が困難であり、その真偽判定においても加熱を要するが簡単で、確実に判定できるという効果を奏する有価証券用紙となる。
【００３７】
また、明らかな様に、従来の白透かしを有する用紙では、精巧な印刷や電子複写での偽造の問題、及び光に透かすなどの目視での真偽判定の際、周囲の環境によっては偽造品を誤判定してしまう問題があったが、本発明の偽造防止策を施した用紙は、これら全てを解決するものである。
【図面の簡単な説明】
【図１】  本発明の一参考例における偽造防止策が施された用紙の構成を示す断面図である。
【図２】  本発明の実施例における偽造防止策が施された用紙の平面図である。
【図３】  上記偽造防止策が施された用紙のＡ−Ａ断面図である。
【図４】  比較例における透かし用紙に印刷層を施した偽造防止策が施された用紙の断面図である。
【図１】
0004168458.tif 000003
【図２】
0004168458.tif 000004
【図３】
0004168458.tif 000005
【図４】
0004168458.tif 000006